(57)【要約】    【課題】自動車のフロント側面ガラスに許容される車台番号等の文字列の刻設可能領域を簡単且つ正確に型取りする。    【解決手段】  型取り定規１は、自動車のフロント側面ガラスの後方下部コーナーにセットされてガラス面に車台番号等の文字列を刻設する領域を設定する。型取り定規１は、ガラス面下側のシール下縁部１１ａに位置決めされる水平押当部３と、水平押当部３の一端から垂直に所定寸法立ち上がった後に水平に所定寸法移行する部分を切り欠いて形成した矩形切欠部６と、矩形切欠部６の水平部分５の先端に形成され、ガラス面のシール側縁部１１ｂに当接されるエッジ部７とを備える。矩形切欠部６の垂直部分４の寸法は１００ｍｍ以下であり、水平部分５の寸法は１２５ｍｍ以下である。    【選択図】          図４
2005114659.tif 000002
【特許請求の範囲】
【請求項１】
自動車における運転席及び助手席の横の側面ガラスの後方下部コーナーにセットされ、盗難を防止するための車台番号等の文字記号列を刻設する領域又は盗難防止装置が備えられていることを表示する標識を設ける領域をガラス面に設定する型取り定規に於いて、
ガラス面下側のシール下縁部に位置決めされる水平押当部と、
前記水平押当部の一端から垂直に所定寸法立ち上がった後に水平に所定寸法移行する部分を切り欠いて形成した矩形切欠部と、
前記矩形切欠部の水平部分の先端に形成され、ガラス面のシール側縁部に当接されるエッジ部と、
を備えたことを特徴とする型取り定規。
【請求項２】
請求項１記載の型取り定規に於いて、前記矩形切欠部の垂直部分の寸法は１００ｍｍ以下であり、水平部分の寸法は１２５ｍｍ以下であることを特徴とする型取り定規。
【請求項３】
請求項１記載の型取り定規に於いて、定規全体が薄い樹脂板で形成されたことを特徴とする型取り定規。
【請求項４】
請求項１記載の型取り定規に於いて、前記水平押当部と平行に定規本体に複数の水平基準線を表示したことを特徴とする型取り定規。
【発明の詳細な説明】
【技術分野】
【０００１】
本発明は、自動車における運転席及び助手席の横の側面ガラスの後方下部コーナーにセットされてガラス面に車台番号等の文字列を刻設する領域又は盗難防止装置が備えられていることを表示する標識を設ける領域を設定する型取り定規に関する。
【背景技術】
【０００２】
近年、自動車の盗難の増加が大きな社会問題となっている。盗難された車両は、通常、エンジンや車体ボディに打ち込まれた車台番号を消して適当な車台番号を偽造し、盗難車両であることを隠蔽して中古市場に出したり海外に輸出するなどされている。
【０００３】
このような問題を解決するため、近年、自動車ガラスのガラス面に、車台番号をアルミ粉のショットブラスを利用して刻設する技術が提供されている。自動車ガラス面に直接に車台番号を刻設していれば、ガラス面の刻設文字は消すことができず、文字を判読できないようにショットブラストしてしまうことも考えられるが、それでは番号を消していることから盗難車であることが判明してしまう。更にガラスを交換することも考えられるが、そのためには相当な手間とコストがかかるため、割に合わないといえる。
【０００４】
このように自動車ガラス面に車台番号を刻設することが、自動車の盗難防止と、盗難された車両の追跡発見に効果的であることから、自動車メーカー、ディーラー、監督官庁、警察機関などが一体となって社会的に普及させていこうとする体制が整いつつある。
【０００５】
本願発明者にあっては、このような状況を見越し、自動車ガラスの曲面部分であっても、文字がぼけずに鮮明に刻設でき、自動車ガラス面の隅などに小さな文字列をショットブラストにより簡単且つ容易に刻設可能としたガラス用文字型取りシート及び文字プレート取付け治具を提案している（特許文献１参照）。
【特許文献１】実用新案登録第３０９０５４４号公報
【発明の開示】
【発明が解決しようとする課題】
【０００６】
ところで、このように車台番号を刻設することのできる位置は、リアガラスやリヤ側面ガラスは特に制限がなく、フロントガラスについては下部のアルミコートがかかっている黒い部分となり、例えば普通乗用車であればフロント、リア、リアサイドの４面のガラスに車台番号を刻設することができる。
【０００７】
これに対し運転席及び助手席の横となるフロント側面ガラスについては、車台番号を刻設できる範囲がガラス後方下部コーナーの特定の領域に法的に限定されている。
【０００８】
このためフロントリアガラスに車台番号を刻設する場合には、法的に許容された範囲であることをスケールを使用して確認し、マーカーで印をつけた後に、文字列刻設用のシートをその範囲に入るように貼り付けてからショットブラストをかける必要がある。
【０００９】
しかし、フロント側面ガラスの刻設可能領域となるガラス後方下部コーナーの形状は、車種により様々であり、その都度、スケールにより正確に寸法をとって刻設できる範囲を決める作業が煩雑であり、寸法取りを誤って許容範囲をずれて刻設したような場合には、車両検査にパスし得ないおそれもあり、刻設位置の寸法決めには相当注意しなければならず、それなりに手間と時間がかかるという問題がある。
【００１０】
本発明は、自動車のフロント側面ガラスに許容される車台番号等の文字列の刻設可能領域を簡単且つ正確に型取りすることのできる型取り定規を提供することを目的とする。
【課題を解決するための手段】
【００１１】
この目的を達成するため本発明は、次のように構成する。本発明は、自動車における運転席及び助手席の横の側面ガラスの後方下部コーナーにセットされ、盗難を防止するための車台番号等の文字記号列を刻設する領域又は盗難防止装置が備えられていることを表示する標識を設ける領域をガラス面に設定する型取り定規に於いて、ガラス面下側のシール下縁部に位置決めされる水平押当部と、水平押当部の一端から垂直に所定寸法立ち上がった後に水平に所定寸法移行する部分を切り欠いて形成した矩形切欠部と、矩形切欠部の水平部分の先端に形成され、ガラス面のシール側縁部に当接されるエッジ部とを備えたことを特徴とする。
【００１２】
ここで、矩形切欠部の垂直部分の寸法は１００ｍｍ以下であり、水平部分の寸法は１２５ｍｍ以下である。また定規全体が薄い樹脂板で形成されたことを特徴とする。更に水平押当部と平行に定規本体に複数の水平基準線を表示したことを特徴とする。
【発明の効果】
【００１３】
本発明の型取り定規によれば、自動車のフロント側面ガラスの車台番号を刻設する後方下部コーナーに、定規の水平押当部をガラスシール下縁に当て、この状態でエッジ部の先端がガラス側面のシール側縁部に当るように位置決めすることで、定規の矩形切欠部が刻設可能領として設定され、マジックなどによる矩形切欠領域に印をつけておくことで、許容された刻設可能領域の中に簡単且つ正確に車台番号等の文字列をショットブラストにより刻設することができる。また定規を裏返すことで、左右いずれの位置でも型取りが簡単にできる。
【００１４】
このため自動車における六面のガラスに車台番号を刻設することができ、車台番号を刻設しているガラス面の数を簡単に増やせることで、盗難防止効果を高めると共に、盗難車両の発見がより行い易くなる。
【００１５】
更に、フロント側面ガラスの後方下部コーナーには、車種によっては比較的大きなアールが付き、刻設可能領域の高さを下げると横方向の領域がアールに沿って内側に位置することから、アールのコーナーにエッジ部を当て、定規本体に表示している水平基準線をシール下縁にあわせるように下側にずらすことで、刻設可能領域を変えることができる。
【００１６】
これらの効果は、フロント側面ガラスに、盗難防止装置が備えられていることを表示する標識を設ける領域を設定する場合も同様である。
【発明を実施するための最良の形態】
【００１７】
図１は本発明による型取り定規の実施形態を示した説明図である。本発明の型取り定規１は、自動車のフロント側面ガラスの後方下部コーナーにセットされてガラス面に車台番号等の文字列を刻設する領域を設定するものである。
【００１８】
この型取り定規１は定規本体２として三角定規を前提としており、ガラス面下側のシール下縁部に位置決めされる水平押当部３と、水平押当部３の中央よりの一端から垂直に所定寸法Ｈ立ち上がる垂直部分４とした後に水平に所定寸法Ｗ移行する水平部分５を切り欠いて形成した矩形切欠部６と、矩形切欠部６の水平部分５の先端に形成されガラス面のシール側縁部に当接されるエッジ部７とを備えている。
【００１９】
ここで矩形切欠部６の垂直部分４の寸法Ｈは１００ｍｍ以下であり、水平部分５の寸法Ｗは１２５ｍｍ以下とする。この矩形切欠部６の寸法は、フロント側面ガラスの後方下部コーナについて法令（保安基準第２９号第４項の告示）に定められた
「自動車に盗難防止装置が備えられていることを表示する標識又は自動車の盗難を防止するために窓ガラスに刻印する文字及び記号であって、側面ガラスのうち、標識又は刻印の上縁の高さがその付近のガラス開口部（ウェザ・トリップ・モール等と重なる部分及びマスキングが施されている部分を除く。以下本条において同じ。）の下縁から１００ｍｍ以下、かつ標識又は刻印の前縁がその付近のガラス開口部の後ろ縁から１２５ｍｍ以内となるように貼付又は刻印されたもの」
という条件を満たすように構成している。
【００２０】
またに本発明の型取り定規１としては、定規全体が薄い樹脂板で形成されており、透明な樹脂版を使用し、必要に応じて透明性の着色を施す。更に、定規本体２には、水平押当部３と平行に複数の水平基準線３ａを表示している。水平基準線３ａは例えば５ｍｍ間隔で矩形切欠部６における垂直部分４の範囲にわたって表示されている。
【００２１】
図２は本発明の型取り定規の使用により車台番号が刻設された自動車８であり、例えば助手席側のフロント側面ガラス９の全閉状態で後方下部コーナーとなるＡ部に車台番号１０を刻設している。
【００２２】
図３は図２のＡ部を拡大して示しており、フロント側面ガラス９は防水シール（ウェザ・トリップ・モール）１１を介して車体に装着されており、全閉状態でのフロント側面ガラス９におけるシール下縁部１１ａに沿って垂直方向に寸法Ｈで、シール側縁部１１ｂに沿って水平方向に寸法Ｗとなる領域が車台番号の刻設が許容されるガラス面の刻設可能領域１２となり、ここに車台番号「ＡＢ−００００００１」が刻設されている。ここで、Ｈ＝１００ｍｍ、Ｗ＝１２５ｍｍである。
【００２３】
図４は本発明の型取り定規１による刻設領域の寸法取りの説明図である。図４において、まずフロント側面ガラス９を全閉とした状態で、本発明の型取り定規１の水平押当部３をフロント側面ガラス９の後方下部コーナーに近いシール下縁部１１ａに当て、この状態でエッジ部７の先端がガラス側面のシール側縁部１１ｂに当るように位置決めすることで、矩形切欠部６が刻設可能領域１２として設定される。そこで、油性カラーペンなどにより矩形切欠部６の垂直部分４および水平部分５に沿って図５に示すように線１３を引いておく。
【００２４】
この状態で車体番号の文字プレートを並べて貼り付けた透明シート部材１４を線１３で囲まれた刻設可能領域内に貼り付け、ショットブラストガン１５により圧縮空気を利用してアルミ粉を吹き付け、ガラス面に文字列を刻設する。これにより確実に許容された刻設領域の中に簡単且つ正確に車台番号等の文字列をショットブラストにより刻設することができる。
【００２５】
また図２の運転席側のフロント側面ガラスの後方下部コーナーに車台番号を刻設した場合には、図４の状態の型取り定規１を裏返して左側にセットすることで、同様にして刻設可能領域の寸法取りができる。
【００２６】
図６は本発明の型取り定規を用いた刻設可能領域の型取り作業の他の例であり、この例のフロント側面ガラス９はその後方下部コーナーのシール縁部１１ｃが比較的大きなアールもしくはテーパーエッジに近い形状となっている。このため図４のようにセットした想像線で示す型取り定規１’では、横方向のサイズが不足する場合がある。
【００２７】
このような場合には、エッジ部７をシール側縁部１１ｂに当てたまま型取り定規１の水平状態を保ったまま下方にずらす。このとき水平押当部３はシール下縁部１１ａから外すことになるので、水平を維持するために、定規本体２に表示している水平基準線３ａを透明であることで透けて見えるシール下縁部１１ａに合せることで、正確に水平位置を保つことができる。
【００２８】
このような型取り定規１の移動により高さがＨ＝１００ｍｍより少なくなっても横方向に最大Ｈ＝１２５mmの幅をもつ刻設可能領域１２を確保して油性インクペンなどにより線を引いて型取りできる。
【００２９】
図７は本発明による型取り定規の他の実施形態であり、この実施形態の型取り定規１６は、定規本体１７として矩形定規を前提としており、ガラス面下側のシール下縁部に位置決めされる水平押当部３と、水平押当部３の中央よりの一端から垂直に所定寸法Ｈ立ち上がる垂直部分４とした後に水平に所定寸法Ｗ移行する水平部分５を切り欠いて形成した矩形切欠部６と、矩形切欠部６の水平部分５の先端に形成されガラス面のシール側縁部に当接されるエッジ部７とを備えた点は図１の実施形態と同じである。
【００３０】
また、矩形切欠部６の垂直部分４の寸法Ｈは１００ｍｍ以下であり、水平部分５の寸法Ｗは１２５ｍｍ以下とする。更に、型取り定規１６は、定規全体が透明な薄い樹脂板で形成されており、定規本体１７には、水平押当部３と平行に複数の水平基準線３ａを表示している。
【００３１】
図８は本発明による型取り定規の他の実施形態であり、この実施形態の型取り定規１８は、定規本体１９として半円定規を前提としており、ガラス面下側のシール下縁部に位置決めされる水平押当部３と、水平押当部３の中央よりの一端から垂直に所定寸法Ｈ立ち上がる垂直部分４とした後に水平に所定寸法Ｗ移行する水平部分５を切り欠いて形成した矩形切欠部６と、矩形切欠部６の水平部分５の先端に形成されガラス面のシール側縁部に当接されるエッジ部７とを備えた点は図１の実施形態と同じである。
【００３２】
また、矩形切欠部６の垂直部分４の寸法Ｈは１００ｍｍ以下であり、水平部分５の寸法Ｗは１２５ｍｍ以下とする。更に、型取り定規１８は、定規全体が透明な薄い樹脂板で形成されており、定規本体１９には、水平押当部３と平行に複数の水平基準線３ａを表示している。
【００３３】
尚、上記の実施形態は、車台番号を刻設する領域の型取りを例にとるものであったが、盗難防止装置の設置を示す標識であるシールを貼り付ける際の領域設定についても本発明の型取り定規を用いて同様に決めることができる。
【００３４】
また本発明の型取り定規は、ガラス面下側のシール下縁部に位置決めされる水平押当部３と、水平押当部３の中央よりの一端から垂直に所定寸法Ｈ立ち上がる垂直部分４とした後に水平に所定寸法Ｗ移行する水平部分５を切り欠いて形成した矩形切欠部６と、矩形切欠部６の水平部分５の先端に形成されガラス面のシール側縁部に当接されるエッジ部７とを備えていれば、それ以外の点は必要に応じて適宜に変形できる。
【００３５】
また上記の実施形態は、矩形切欠部６の垂直部分４の寸法Ｈを１００ｍｍ以下、水平部分５の寸法Ｗを１２５ｍｍ以下とする場合を例にとるものであったが、例えば法令等の変更があれば、この寸法も必要に応じて任意に変えることになる。
【図面の簡単な説明】
【００３６】
【図１】本発明による型取り定規の実施形態を示した説明図
【図２】本発明の型取り定規を使用してフロント側面ガラスに車台番号を刻設した自動車の説明図
【図３】図２のフロント側面ガラスのＡ部を拡大した説明図
【図４】本発明の型取り定規を用いた刻設可能領域の寸法取りの説明図
【図５】寸法取りが済んだ後に行うショットブラストによる刻設作業の説明図
【図６】本発明の型取り定規を用いた刻設可能領域の他の寸法取りの説明図
【図７】本発明による型取り定規の他の実施形態を示した説明図
【図８】本発明による型取り定規の他の実施形態を示した説明図
【符号の説明】
【００３７】
１，１６，１８：型取り定規
２，１７，１９：定規本体
３：水平押当部
３ａ：水平基準線
４：垂直部分
５：水平部分
６：矩形切欠部
７：エッジ部
８：自動車
９：フロント側面ガラス
１０：車台番号
１１：防水シール
１１ａ：シール下縁部
１１ｂ：シール側縁部
１１ｃ：シール縁部
１２：刻設可能領域
１３：線
１４：透明シート
１５：ショットブラストガン
【図１】
2005114659.tif 000003
【図２】
2005114659.tif 000004
【図３】
2005114659.tif 000005
【図４】
2005114659.tif 000006
【図５】
2005114659.tif 000007
【図６】
2005114659.tif 000008
【図７】
2005114659.tif 000009
【図８】
2005114659.tif 000010